(57)【特許請求の範囲】
【請求項１】
複数の無線通信方式のうちの選択された方式で無線基地局との間で無線通信する無線通信部と、
一定期間内の各時間帯について、前記複数の無線通信方式のうちの少なくとも１つの無線通信方式の使用回数をカウントすることによって、使用スケジュールテーブルを作成する作成部と、
前記作成した使用スケジュールテーブルを記憶する記憶部と、
前記複数の無線通信方式のうちの少なくとも１つの無線通信方式について、非通信中に、前記使用スケジュールテーブルを参照して、各時間帯について、前記無線通信の使用回数が所定値以上の場合に、待ち受け状態に設定し、前記使用回数が前記所定値未満の場合に、待ち受け停止状態に設定する制御部とを備え、
前記作成部は、前記待ち受けを停止している期間に、待ち受けを停止した無線通信方式での通信が発生した回数が所定値を超えた場合に、前記使用スケジュールテーブルを再作成する、無線端末。
【請求項２】
前記作成部は、一定期間内の平日の各時間帯について、前記少なくとも１つの無線通信方式の使用回数をカウントすることによって、平日用の使用スケジュールテーブルを作成し、一定期間内の休日の各時間帯について、前記少なくとも１つの無線通信方式の使用回数をカウントすることによって、休日用の使用スケジュールテーブルを作成し、
前記記憶部は、前記作成した平日用の使用スケジュールテーブルと、休日用の使用スケジュールテーブルを記憶し、
前記制御部は、前記少なくとも１つの無線通信方式について、非通信中に、前記平日用の使用スケジュールテーブルを参照して、平日の各時間帯について、前記無線通信の使用回数が第１の所定値以上の場合に、待ち受け状態に設定し、前記使用回数が前記第１の所定値未満の場合に、待ち受け停止状態に設定し、
前記制御部は、前記少なくとも１つの無線通信方式について、非通信中に、前記休日用の使用スケジュールテーブルを参照して、休日の各時間帯について、前記無線通信の使用回数が第２の所定値以上の場合に、待ち受け状態に設定し、前記使用回数が前記第２の所定値未満の場合に、待ち受け停止状態に設定する、請求項１記載の無線端末。
【請求項３】
前記無線端末は、前記無線端末の電池の残量が所定値以下となったときに省電力モードに設定され、
前記制御部は、前記省電力モード時において、前記少なくとも１つの無線通信方式について、非通信中に、前記使用スケジュールテーブルを参照して、各時間帯について、前記無線通信の使用回数が所定値以上の場合に、待ち受け状態に設定し、前記使用回数が前記所定値未満の場合に、待ち受け停止状態に設定する、請求項１記載の無線端末。
【請求項４】
前記制御部は、前記待ち受け停止状態に設定した無線通信方式による通信を実行した後、所定時間が経過すると、前記無線通信方式を前記待ち受け停止状態に再設定する、請求項１記載の無線端末。
【請求項５】
複数の無線通信方式のうちの選択された方式で無線基地局との間で無線通信するステップと、
一定期間内の各時間帯について、前記複数の無線通信方式のうちの少なくとも１つの無線通信方式の使用回数をカウントすることによって、使用スケジュールテーブルを作成するステップと、
前記複数の無線通信方式のうちの少なくとも１つの無線通信方式について、非通信中に、前記使用スケジュールテーブルを参照して、各時間帯について、前記無線通信の使用回数が所定値以上の場合に、待ち受け状態に設定し、前記使用回数が前記所定値未満の場合に、待ち受け停止状態に設定するステップとを備え、
前記作成するステップは、前記待ち受けを停止している期間に、待ち受けを停止した無線通信方式での通信が発生した回数が所定値を超えた場合に、前記使用スケジュールテーブルを再作成するステップを備える、無線端末の待ち受け制御方法。
【発明の詳細な説明】
【技術分野】
【０００１】
本発明は、無線端末および無線端末の待ち受け制御方法に関する。
【背景技術】
【０００２】
無線通信において、電波の送受信には非常に多くの電力を要するため、長時間通信しない時には、待ち受け状態となる。待ち受け状態では、無線端末は、常に無線基地局との通信状態を保持するのではなく、間欠的に必要最小限の情報、たとえば端末の位置情報やその位置での受信品質レベル等の無線に関連した情報を無線基地局に通知する。
【０００３】
ここで、複数のＲＡＴ（Radio Access Technology：無線通信技術）に対応した無線端末（たとえば、特許文献１を参照）では、通信中以外には、それぞれのＲＡＴで受信の可能性があるため、全てのＲＡＴで待ち受け状態にしておく必要がある。つまり、無線端末のそれぞれのＲＡＴでの待ち受け状態で、定期的にそれぞれのＲＡＴに対応した無線基地局と情報交換することにより、スムーズな通信経路を確立することができる。
【先行技術文献】
【特許文献】
【０００４】
【特許文献１】特開２００８−３００９８７号公報
【発明の概要】
【発明が解決しようとする課題】
【０００５】
しかしながら、無線端末において、複数のＲＡＴで待ち受け状態に設定すると、たとえ間欠的な無線基地局への情報送信であっても通信自体に多くの消費電力を要する。ＲＡＴが増加すればするほど消費電力が増加する。その結果、通話の途中で電池切れにより通信ができなくなったり、待ち受け動作で全ての電力を使い果たして、いざ発信をしようにも残存電力容量が無いため発信ができないという問題があった。
【０００６】
それゆえに、本発明の目的は、消費電力を削減することができる無線端末および無線端末の待ち受け制御方法を提供することである。
【課題を解決するための手段】
【０００７】
上記課題を解決するために、本発明の無線端末は、複数の無線通信方式のうちの選択された方式で無線基地局との間で無線通信する無線通信部と、複数の無線通信方式のうちの少なくとも１つの無線通信方式について、無線通信の使用スケジュールに基づいて、非通信中に、待ち受け状態、または待ち受け停止状態に設定する制御部とを備える。
【０００８】
好ましくは、無線通信の使用スケジュールは、無線通信の使用履歴に基づくものである。
【０００９】
好ましくは、無線端末は、一定期間内の各時間帯について、少なくとも１つの無線通信方式の使用回数をカウントすることによって、使用スケジュールテーブルを作成する作成部と、作成した使用スケジュールテーブルを記憶する記憶部とを備える。制御部は、少なくとも１つの無線通信方式について、非通信中に、使用スケジュールテーブルを参照して、各時間帯について、無線通信の使用回数が所定値以上の場合に、待ち受け状態に設定し、使用回数が所定値未満の場合に、待ち受け停止状態に設定する。
【００１０】
好ましくは、作成部は、一定期間内の平日の各時間帯について、少なくとも１つの無線通信方式の使用回数をカウントすることによって、平日用の使用スケジュールテーブルを作成し、一定期間内の休日の各時間帯について、少なくとも１つの無線通信方式の使用回数をカウントすることによって、休日用の使用スケジュールテーブルを作成する。記憶部は、作成した平日用の使用スケジュールテーブルと、休日用の使用スケジュールテーブルを記憶する。制御部は、少なくとも１つの無線通信方式について、非通信中に、平日用の使用スケジュールテーブルを参照して、平日の各時間帯について、無線通信の使用回数が第１の所定値以上の場合に、待ち受け状態に設定し、使用回数が第１の所定値未満の場合に、待ち受け停止状態に設定する。制御部は、少なくとも１つの無線通信方式について、非通信中に、休日用の使用スケジュールテーブルを参照して、休日の各時間帯について、無線通信の使用回数が第２の所定値以上の場合に、待ち受け状態に設定し、使用回数が第２の所定値未満の場合に、待ち受け停止状態に設定する。
【００１１】
好ましくは、待ち受けを停止している期間に、待ち受けを停止した無線通信方式での通信が発生した回数が所定値を超えた場合に、作成部は、使用スケジュールテーブルを再作成する。
【００１２】
本発明の無線端末の待ち受け制御方法は、複数の無線通信方式のうちの選択された方式で無線基地局との間で無線通信するステップと、複数の無線通信方式のうちの少なくとも１つの無線通信方式について、無線通信の使用スケジュールに基づいて、非通信中に、待ち受け状態、または待ち受け停止状態に設定するステップとを備える。
【発明の効果】
【００１３】
本発明の無線端末および無線端末の待ち受け制御方法によれば、消費電力を削減することができる。
【図面の簡単な説明】
【００１４】
【図１】無線端末の構成を表わす図である。
【図２】平日用使用スケジュールテーブルの例を表わす図である。
【図３】休日用使用スケジュールテーブルの例を表わす図である。
【図４】すべての無線通信部が、待ち受け処理を実行するときの消費電力を説明するための図である。
【図５】１つの無線通信部が、待ち受け処理を停止したときの消費電力を説明するための図である。
【図６】使用スケジュールテーブルの作成手順を表わすフローチャートである。
【図７】待ち受け状態の設定制御の手順を表わすフローチャートである。
【発明を実施するための形態】
【００１５】
以下、本発明の実施形態について、図面を用いて説明する。
（無線通信システムの構成）
図１は、無線端末の構成を表わす図である。
【００１６】
図１を参照して、この無線端末１は、無線通信部５７と、使用スケジュールテーブル作成部５と、使用スケジュールテーブル記憶部６と、待ち受け制御部７と、ユーザ入力部８を備える。
【００１７】
無線通信部５７は、ＬＴＥ（Long Term Evolution）方式、ＷｉＦｉ（Wireless Fidelity）方式、およびＵＭＴＳ（Universal Mobile Telecommunications System）方式のうち、選択された方式で通信する。無線通信部５７は、ＬＴＥ用無線通信部２と、ＷｉＦｉ用無線通信部３と、ＵＭＴＳ用無線通信部４とを有する。
【００１８】
ＬＴＥ用無線通信部２は、無線基地局との間で、ＬＥＴ方式で無線通信する。
ＷｉＦｉ用無線通信部３は、無線基地局との間で、ＷｉＦｉ方式で無線通信する。
【００１９】
ＵＭＴＳ用無線通信部４は、無線基地局との間で、ＵＭＴＳ方式で無線通信する。
ユーザ入力部８は、ユーザからのモード指定、すなわち通常動作モードか、省電力モードかの選択を受け付ける。
【００２０】
待ち受け制御部７は、省電力モード時において、ＬＴＥ方式、ＷｉＦｉ方式、ＵＭＴＳ方式のうちの少なくとも１つの無線通信方式（ここでは、ＬＴＥ方式およびＷｉＦｉ方式とする）について、使用実績に基づいて、非通信中に、待ち受け状態、または待ち受け停止状態に設定する。本実施の形態では、ＵＭＴＳ用無線通信部４は、音声通信用のため、常時待ち受け状態を維持させることとする。
【００２１】
使用スケジュールテーブル作成部５は、平日用使用スケジュールテーブルと、休日用使用スケジュールテーブルとを作成する。使用スケジュールテーブル作成部５は、一定期間内（ここでは１ヶ月とする）の平日の各時間帯について、ＬＴＥ方式とＷｉＦｉ方式の無線通信方式の使用回数をカウントすることによって、平日用の使用スケジュールテーブルを作成する。また、使用スケジュールテーブル作成部５は、一定期間内（ここでは一カ月とする）の休日の各時間帯について、ＬＴＥ方式およびＷｉＦｉ方式の無線通信方式の使用回数をカウントすることによって、休日用の使用スケジュールテーブルを作成する。
【００２２】
使用スケジュールテーブル記憶部６は、平日用使用スケジュールテーブルと、休日用使用スケジュールテーブルとを記憶する。
【００２３】
図２は、平日用使用スケジュールテーブルの例を表わす図である。
図２に示すように、平日用使用スケジュールテーブルは、時間帯ごとに、一か月間の平日（月〜金）のＬＴＥの使用回数と、ＷｉＦｉの使用回数とが登録される。
【００２４】
図２において、６時〜７時の時間帯でのＬＴＥの使用は、自宅で朝食時での使用によるものである。７時〜８時の時間帯でＷｉＦｉの使用は、通勤時に電車の中での使用によるものである。１２時〜１３時の時間帯でのＬＴＥの使用は、オフィスで昼休みの使用によるものである。２０時〜２１時の時間帯でのＷｉＦｉの使用は、通勤時に電車の中での使用によるものである。２１時〜２２時、２２時〜２３時、および２３時〜２４時でのＬＴＥの使用は、自宅での夕食、余暇時の使用によるものである。
【００２５】
図３は、休日用使用スケジュールテーブルの例を表わす図である。
図３に示すように、平日用使用スケジュールテーブルは、時間帯ごとに、一か月間の休日（土、日）のＬＴＥの使用回数と、ＷｉＦｉの使用回数とが登録される。
【００２６】
図３において、７時〜８時の時間帯でのＬＴＥの使用は、自宅で朝食時での使用によるものである。８時〜９時の時間帯でのＬＴＥの使用は、自宅からの移動時の使用によるものである。９時〜１０時、１０時〜１１時、１１時〜１２時でのＷｉＦｉの使用は、買い物時の使用によるものである。１２時〜１３時でのＷｉＦｉの使用は、外食時の使用によるものである。１３時〜１４時でのＬＴＥの使用は、帰宅時の使用によるものである。１４時〜１４時、１５時〜１６時、１６時〜１７時、１７時〜１８時、１８時〜１９時でのＬＴＥの使用は、庭でくつろぎながら子供の世話をしたりしている間での使用によるものである。
【００２７】
待ち受け制御部７は、現在時刻を計測する時計を有する。待ち受け制御部７は、現在時刻が、平日用および休日用使用実績テーブルの各時間帯のいずれに属するかを判断する。待ち受け制御部７は、省電力モード時に、非通信中に、平日用の使用実績テーブルを参照して、平日の各時間帯について、無線通信方式の使用回数が第１の所定値以上の場合に、待ち受け状態に設定し、使用回数が第１の所定値未満の場合に、待ち受け停止状態に設定する。図２の平日用使用スケジュールテーブルの場合には、第１の所定値として、たとえば「１０」を用いることができる。
【００２８】
また、待ち受け制御部７は、省電力モード時に、非通信中に、休日用の使用実績テーブルを参照して、休日の各時間帯について、無線通信方式の使用回数が第２の所定値以上の場合に、待ち受け状態に設定し、使用回数が第２の所定値未満の場合に、待ち受け停止状態に設定する。図３の休日用使用スケジュールテーブルの場合には、第２の所定値として、たとえば「４」を用いることができる。
【００２９】
待ち受け状態に設定された無線通信方式の無線通信部は、待ち受け処理、すなわち、無線端末の現在位置、現在位置での受信品質レベルなどの無線通信に関連した情報を無線基地局に通知する処理を行なう。
【００３０】
使用スケジュールテーブル作成部５は、平日において、待ち受けを停止している期間に、待ち受けを停止した無線通信方式での通信が発生した回数が所定値を超えた場合に、平日用使用スケジュールテーブルを再作成する。使用スケジュールテーブル作成部５は、休日において、待ち受けを停止している期間に、待ち受けを停止した無線通信方式での通信が発生した回数が所定値を超えた場合に、休日用使用スケジュールテーブルを再作成する。
【００３１】
図４は、すべての無線通信部が、待ち受け処理を実行するときの消費電力を説明するための図である。
【００３２】
ＬＴＥ用無線通信部２は、ａ（ｍｓｅｃ）ごとに待ち受け処理を実行する。ＷｉＦｉ用無線通信部３は、ｂ（ｍｓｅｃ）ごとに待ち受け処理を実行する。ＵＭＴＳ用無線通信部４は、ほぼ休むことなく、待ち受け処理を実行する。
【００３３】
無線端末で消費される電力の大半は、ＬＴＥ方式での待ち受け処理で消費する送信電力と、ＷｉＦｉ方式での待ち受け処理で消費する送信電力と、ＵＭＴＳでの待ち受け処理で消費する送信電力の和である。
【００３４】
図５は、１つの無線通信部が、待ち受け処理を停止したときの消費電力を説明するための図である。
【００３５】
ＬＴＥ用無線通信部２は、ａ（ｍｓｅｃ）ごとに待ち受け処理を実行する。ＷｉＦｉ用無線通信部３は、待ち受け処理を停止する。ＵＭＴＳ用無線通信部４は、ほぼ休むことなく、待ち受け処理を実行する。
【００３６】
無線端末で消費される電力の大半は、ＬＴＥ方式での待ち受け処理で消費する送信電力と、ＵＭＴＳでの待ち受け処理で消費する送信電力の和である。
【００３７】
図４と図５を比較すればわかるように、ＷｉＦｉ方式での待ち受け処理を停止することによって、無線端末で消費される電力が著しく低減できる。
【００３８】
（使用スケジュールテーブルの作成の動作）
図６は、使用スケジュールテーブルの作成手順を表わすフローチャートである。
【００３９】
図６を参照して、ユーザ入力部８を通じて、ユーザが使用スケジュールテーブルの作成を指示したときには（ステップＳ１０１でＹＥＳ）、次の手順で使用スケジュールテーブルが作成される。
【００４０】
ユーザが、ＬＴＥ用無線通信部２によって通信をし（ステップＳ１０２でＹＥＳ）、かつ本日が休日の場合には（ステップＳ１０３でＹＥＳ）、使用スケジュールテーブル作成部５は、休日用使用スケジュールテーブルの現在の時間帯のＬＴＥ使用回数を１回インクリメントする（ステップＳ１０４）。
【００４１】
ユーザが、ＬＴＥ用無線通信部２によって通信をし（ステップＳ１０２でＹＥＳ）、かつ本日が平日の場合には（ステップＳ１０３でＮＯ）、使用スケジュールテーブル作成部５は、平日用使用スケジュールテーブルの現在の時間帯のＬＴＥ使用回数を１だけインクリメントする（ステップＳ１０５）。
【００４２】
ユーザが、ＷｉＦｉ用無線通信部３によって通信をし（ステップＳ１０６でＹＥＳ）、かつ本日が休日の場合には（ステップＳ１０７でＹＥＳ）、使用スケジュールテーブル作成部５は、休日用使用スケジュールテーブルの現在の時間帯のＷｉＦｉ使用回数を１だけインクリメントする（ステップＳ１０８）。
【００４３】
ユーザが、ＷｉＦｉ用無線通信部３によって通信をし（ステップＳ１０６でＹＥＳ）、かつ本日が平日の場合には（ステップＳ１０７でＮＯ）、使用スケジュールテーブル作成部５は、平日用使用スケジュールテーブルの現在の時間帯のＷｉＦｉ使用回数を１だけインクリメントする（ステップＳ１０９）。
【００４４】
１ヶ月が経過すると（ステップＳ１１０でＹＥＳ）、使用スケジュールテーブル作成部５は、使用スケジュールテーブルの作成を終了する。
【００４５】
（待ち受け状態のオン／オフ制御の動作）
図７は、待ち受け状態の設定制御の手順を表わすフローチャートである。
【００４６】
図７を参照して、ユーザ入力部８を通じて、ユーザが省電力モードの設定を指示したときには（ステップＳ２０１でＹＥＳ）、次の手順で待ち受け制御が実行される。
【００４７】
本日が休日のときに（ステップＳ２０２でＹＥＳ）、待ち受け制御部７は、現在の時刻が、休日のどの時間帯に属するかを判断する。待ち受け制御部７は、休日用使用スケジュールテーブルの現在の時間帯のＬＴＥの使用回数が閾値ＴＨ１未満の場合には（ステップＳ２０３でＹＥＳ）、ＬＴＥ用無線通信部２に対して、現在の時間帯でのＬＴＥ通信方式での待ち受け処理を停止するように指示する（ステップＳ２０４）。また、待ち受け制御部７は、休日用使用スケジュールテーブルの現在の時間帯のＷｉＦｉの使用回数が閾値ＴＨ１未満の場合には（ステップＳ２０５でＹＥＳ）、ＷｉＦｉ用無線通信部３に対して、現在の時間帯でのＷｉＦｉ通信方式での待ち受け処理を停止するように指示する（ステップＳ２０６）。
【００４８】
本日が平日のときに（ステップＳ２０２でＮＯ）、待ち受け制御部７は、現在の時刻が、平日のどの時間帯に属するかを判断する。待ち受け制御部７は、平日用使用スケジュールテーブルの現在の時間帯のＬＴＥの使用回数が閾値ＴＨ２未満の場合には（ステップＳ２０７でＹＥＳ）、ＬＴＥ用無線通信部２に対して、現在の時間帯でのＬＴＥ通信方式での待ち受け処理を停止するように指示する（ステップＳ２０８）。また、待ち受け制御部７は、平日用使用スケジュールテーブルの現在の時間帯のＷｉＦｉの使用回数が閾値ＴＨ２未満の場合には（ステップＳ２０９でＹＥＳ）、ＷｉＦｉ用無線通信部３に対して、現在の時間帯でのＷｉＦｉ通信方式での待ち受け処理を停止するように指示する（ステップＳ２１０）。
【００４９】
以上のように、本実施の形態によれば、複数のＲＡＴに対応した無線端末において、ユーザの移動経路や時間帯など、生活パターンによるＲＡＴの要／不要をデータベース化しておき、それに従って不必要なＲＡＴをオフすることにより、待ち受け時に必要となる無線通信電力を削減して電池の持ちを改善することができる。
【００５０】
（変形例）
本発明は、上記の実施形態に限定されるものではなく、たとえば以下のような変形例も含む。
【００５１】
（１）  休日と平日の区別
実施の形態では、月〜金が平日、土、日が休日として説明したが、これに限定するものではない。ユーザが、１ヶ月間の各日が、平日か休日かを設定するようにしてもよい。
【００５２】
（２）  電池の残量
実施の形態では、ユーザの指定によって、省電力モードに設定されることとしたが、これに限定されるものではない。無線端末は、常に、省電力モードで動作することとしてもよいし、電池の残量が所定値以下となったときに、省電力モードで動作するようにしてもよい。
【００５３】
（３）  使用スケジュールテーブルの作成
実施の形態では、１ヶ月間の使用スケジュールを表わす使用スケジュールテーブルを作成することとしたが、これに限定されるものではなく、任意の一定期間の使用スケジュールを表わす使用スケジュールテーブルを作成すればよい。また、最新の１ヶ月間の使用スケジュールを表わす使用スケジュールテーブルを常に作成することとしてもよい。
【００５４】
（４）  無線通信方式
実施の形態では、無線端末が複数の無線通信方式に対応しているものとして説明したが、これに限定されるものではなく、無線端末が１つの無線通信方式に対応していてもよい。この場合、無線通信部５７は、無線基地局との間で無線通信し、待ち受け制御部７は、無線通信の使用スケジュールに基づいて、非通信中に、待ち受け状態、または待ち受け停止状態に設定することになる。
【００５５】
（５）  使用スケジュール
使用スケジュールをユーザが任意に設定できることとしてもよい。当該態様によれば、ユーザが所望するスケジュールによって無線端末の省電力を実現することができる。
【００５６】
（６）  待ち受け状態のオン／オフの制御
スケジュールで待ち受け状態を停止させる通信方式として設定した通信方式を実行した場合、実行された通信方式による通信を実行した後所定時間が経過すると、当該通信方式の待ち受け状態を再度停止することとしてもよい。当該所定時間の計測は、当該通信方式の実行操作が行われたときに更新することとしても良い。具体的には当該通信方式の実行操作が行われるたびに、当該通信方式による通信を継続できるように所定時間の計測開始時期を遅らせる。上記態様によれば、ユーザの急な仕様スケジュール変更に対応して省電力を実現することができる。また、所定時間経過後に限らず、当該通信方式により通信するとして選択したファイルの送信が終了されると再度待ち受け状態を停止させることとしてもよい。別の態様として、当該通信方式を実行した後、省電力モードを中止するか否かを確認することとしてもよい。
【００５７】
また、スケジュールで待ち受け状態とした通信方式が、通信に不都合を生じる状態となった場合待ち受け停止状態としていた通信方式の待ち受け停止状態を解除することとしてもよい。また、上記処理が実行された後所定時間が経過したときは、解除した待ち受け停止状態を再度待ち受け停止状態に変更することとしてもよい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  無線端末、２  ＬＴＥ用無線通信部、３  ＷｉＦｉ用無線通信部、４  ＵＭＴＳ用通信部、５  使用スケジュールテーブル作成部、６  使用スケジュールテーブル記憶部、７  待ち受け制御部、８  ユーザ入力部。
【図１】
0005914171.tif 000002
【図２】
0005914171.tif 000003
【図３】
0005914171.tif 000004
【図４】
0005914171.tif 000005
【図５】
0005914171.tif 000006
【図６】
0005914171.tif 000007
【図７】
0005914171.tif 000008